(57)【要約】      （修正有）【課題】箱主体と該箱主体に内蔵保持及び貼着して瓶容器支持体に組立てられ、アンプル、バイアル瓶等の薬瓶等を外部からの衝撃を保護するための緩衝機能を有する包装用紙箱を提供する。【解決手段】箱主体Ａと箱主体に内蔵保持及び貼着される瓶容器支持体Ｂとからなる緩衝機能を有する包装用紙箱において、箱主体内に多数の瓶支持穴５４Ａを所定間隔で穿設した瓶支持板５１と瓶支持用中底形成板５３を棚状に折畳み形成し、独立支持板と支持止部を接当支持させた瓶容器支持体であって、自動組立底構造の折畳み可能な緩衝機能を有する包装用紙箱。【選択図】図１
0003182969.tif 000002
【実用新案登録請求の範囲】
【請求項１】
箱主体と該箱主体に内蔵保持及び貼着される瓶容器支持体とから構成される包装用紙箱であり、箱主体は夫々折線を介して連続形成される側板と、前記いずれかの側板の上端から折線を介して形成される天板、上部フラップ、台形状の主フラップ、上部フラップを、第二底形成板と第三底形成板の側端に連結フラップを備え、前記いずれかの側板の下端から折線を介して形成される瓶容器支持体と、該瓶容器支持体と連続しない各側板の夫々の下端から折線を介して少なくともいずれか二つには、隣接するいずれかの他の底形成板と接続して自動組立底を形成する接続フラップを夫々折線を設けてなる緩衝機能を有する包装用紙箱において、
箱主体（Ａ）には第三底形成体（３０）の下部先端に支持止部（３４）を形成し、瓶容器支持体（Ｂ）は、第一底形成板（５）と、起立板支持板（５５）と、第二底支持板（５６）と、側面当接板（５０）と、瓶支持板（５１）と、側面当接板（５２）、瓶支持用中底形成板（５３）が各折線を介して長さ方向に連続し、
前記第一底形成板（５）の折線（Ｆ５０Ａ）から起立支持板（５５）を形成し、折線（Ｖ１）を介して第二底支持板（５６）を形成し、折線（Ｆ５０Ｂ）を介して側面当接板（５０）を形成し、前記第二底支持板（５６）の両側には縦切込線（５７）と該縦切込線（５７）の両外側に折線（Ｆ５０）を形成し、前記第二底支持板（５６）と第一底形成板（５）は折線（Ｖ１）を相互の境界線とする起立支持板（５５）を形成し、該起立支持板（５５）の折線（Ｖ１）を山折して、折線（Ｆ５０）と折線（Ｆ５０Ｂ）及び折線（Ｆ５０Ａ）を谷折して、第二底支持板（５６）の裏面側において瓶支持用中底形成板（５３）の表面側と貼着し、側面当接板（５２）の表面側を第一側面板（１）の下部内側に貼着し、第一底形成板（５）から起立支持板（５５）を起立させて瓶支持穴を有する瓶支持板（５１）と瓶支持用中底形成板（５３）を箱体内で二段棚状に形成し、第一底形成板（５）の裏面側凹部（Ｍ）を形成して、第二底支持板（５６）を起立させた起立支持板（５５）の表面側と、第三底形成板（３０）の支持止部（３４）の表面側を当接させて、第一底形成板（５）の裏面に形成された凹部（Ｍ）にはまり込んだ状態で起立支持板（５５）と支持止部（３４）と当接して保持固定させることを特徴とする緩衝機能を有する包装用紙箱。
【請求項２】
箱主体（Ａ）と該箱主体に内蔵保持及び貼着される瓶容器支持体（Ｃ）とから構成される緩衝機能を有する包装用紙箱であって、
箱主体（Ａ）には第三底形成体（３０）の下部先端に差込部（３４Ａ）を形成し、瓶容器支持体（Ｃ）は、第一底形成板（５）の中央に差込穴（５５Ａ）を設け、折線（Ｆ５０）を介して側面当接板（５０）を形成し、折線（Ｆ５０）の両端に張出縁（５０Ａ）、（５０Ａ）を設け、折線（Ｆ５１）を介して複数の瓶支持穴を有する瓶支持板（５１）を形成し、折線（Ｆ５２）を介して側面当接板（５２）、折線（Ｆ５３）を介して前記瓶支持穴と同数の瓶支持用穴を有する瓶支持用中底形成板（５３）を、折線（Ｆ５４）を介して側板当接板（５４）を連設し、各折線を山折りして、側板当接板（５４）の表面を側面当接板（５０）に貼着し、折線（Ｆ５０）を谷折りして側面当接板（５２）の表面側に第一側板（１）の下部裏面を貼着し、第一底形成板（１）の差込穴（５５Ａ）に第三底形成板（５５Ａ）の差込部（３４Ａ）と係合させたことを特徴とする請求項１記載の緩衝機能を有する包装用紙箱。
【請求項３】
第三側板（３）の上端に形成した台形状の主フラップ（３１）を箱体の内側に折曲げて第三側板（３）の内側に貼着し、前記台形状の主フラップ（３１）の両側に形成した係止端部（３１Ａ）、（３１Ａ）の端面に、前記側面当接板（５０）の折線に形成した緩衝用支持片（５１Ａ）、（５１Ａ）を係止させたことを特徴とする請求項１又は２記載の緩衝機能を有する包装用紙箱。
【請求項４】
瓶支持穴が円周の一部を直線状に形成したことを特徴とする請求項１乃至３の何れか１項記載の緩衝機能を有する包装用紙箱。
【考案の詳細な説明】
【技術分野】
【０００１】
本考案は、箱主体と該箱主体に内蔵保持される瓶容器支持体に組立てられて、アンプル、バイアル瓶等の薬瓶等を外部からの衝撃から保護するための緩衝機能を有する包装用紙箱に関するものである。
【背景技術】
【０００２】
従来の緩衝機能を有する包装用紙箱で一般的に知られている構成としては、折畳み扁平状態から包装可能状態に組立てた箱内へ、別に製作された瓶の仕切り板を設けた包装用紙箱構造や、折畳み状態から立体化した場合に、箱内部に同一容器収納空間の多数が形成されるようにした包装用紙箱があるが、これらは瓶相互が仕切り板を介して隣接状態で収納支持して相互の緩衝を仕切板の厚みだけで吸収使用とするものであるため、箱底からの衝撃、取扱時の横揺れによる力を十分に吸収できず、瓶容器が破損される欠点がある。
【先行技術文献】
【特許文献】
【０００３】
【特許文献１】登録実用新案第３０２２２４５号公報
【特許文献２】特開２００２−２３４５３１号公報
【考案の概要】
【考案が解決しようとする課題】
【０００４】
従来の緩衝機能を有する包装用紙箱の構成は、特許文献１は箱体内に別製作の瓶仕切穴を有する中枠と側面用透視孔を有する保持板を収納配設する包装用紙箱であるため取扱時の側面からの衝撃は吸収されて、瓶相互の衝突による破損は解消されるものの、箱底からの衝撃に対する緩衝機能を期待することができないから、依然として瓶容器の底の破損が頻繁に生じるという点を本考案が解決しようとする課題とする。
更に特許文献２は外箱体内に別製作の折畳可能な容器を挿入する孔を複数設け、この孔内に複数の容器を起立させながら互いに隔離した状態で支持する支持板を有し、孔と孔との間の領域を複数のシートを積層した構造で、支持板の強度を向上させることが出来るが支持板を折込んで形成される容器保持用緩衝枠に関する構成で、シート材料を多く使用し複数回の折込みに手間がかかる包装用紙箱であって組み立て容易で箱底からの衝撃に対する緩衝機能を期待することができないから、依然として瓶容器の破損が頻繁に生じるという点を本考案が解決しようとする課題とする。
【課題を解決するための手段】
【０００５】
本考案は、以上の事情に鑑みてなされたものであり、箱主体（Ａ）と該箱主体（Ａ）に内蔵保持及び貼着される瓶容器支持体（Ｂ）又は（Ｃ）とからなる緩衝機能を有する包装用紙箱において、
第一の構成は図１に示すごとく、箱主体（Ａ）は第一側板、第二側板、第三側板、第四側板が順に各折線を介して横に連続し、
第一側板の上端には折線を介して天板が連続し、天板上端には折線を介して差込フラップが連続し、第一側板の下端には折線を介して瓶容器支持体（Ｂ）が連続する。
第一側板の他方の側端には折線を介して連結フラップが連続する。
第二側板の上端には折線を介して上部フラップが連続し、前記第二側板の下端には折線を介して第二底形成板が連続し、第二底形成板の右端に折線を介して接続フラップが連続する。
前記第三側板上部に折線を介して台形状の主フラップを設け、該主フラップの上部両側に係止端部を形成し、
前記第三側板の下端に折線を介して支持止部を有する第三底形成板が連続し、左端には折線を介して接続フラップが連続する。
第四側板の上端には折線を介して上部フラップが連続し、前記第四板の下端に折線を介して第四底形成板が連続する。
前記第一側板の下端には折線を介して瓶容器支持体（Ｂ）が連続する。
瓶容器支持体（Ｂ）は、箱主体Ａ内に側板当接板（５０）と折線を介して連続する円周の一部を直線状に形成した多数の瓶支持穴（５４Ａ）を所定間隔で穿設した瓶支持板（５１）と折線を介して連続する瓶支持用中底形成板（５３）を、起立支持板（５５）の折線（Ｆ５０Ａ）と第一中底形成板（５）の両折線（Ｆ５０）とを介して連続する第二底支持板（５６）で支持して二段棚状に折畳み、
第一中底形成板（５）の裏面側の凹部（Ｍ）内の起立支持板（５５）と第三底形成板（３０）の先端に形成した支持止部（３４）と接当支持させて第二底支持板（５６）を支持した状態と自動組立底構造の折畳み可能な第四底形成板（４０）、接続フラップ（３２）、第二底形成板（２０）、接続フラップ（２２）からなる緩衝機能を有する構成を、本考案が解決しようとする課題とする。
【０００６】
第二の構成は箱主体（Ａ）の構成は図１１に示すごとく、第一の構成の箱主体と同じ構成で相違する部分は第三底形成板の先端に設けた支持止部が差込部になっている以外が同一構成である。
前記第一側板の下端には折線を介して瓶容器支持体（Ｃ）が連続する。
瓶容器支持体（Ｃ）は、箱主体（Ａ）内に側板当接板（５０）と折線を介して連続する円周の一部を直線状に形成した多数の瓶支持穴（５４Ａ）を所定間隔で穿設した瓶支持板（５１）と折線（Ｆ５２）を介して連続する側板当接板（５２）と折線（Ｆ５３）を介して連続する前記瓶支持板（５１）と同間隔で同数の瓶支持穴（５４Ｂ）を穿設した瓶支持用中底形成板（５３）に間隔を空けて折線（Ｆ５４）を介して連続する側板当接板（５４）を設け、これらを折畳んで二段棚状に形成し、更に箱底側を第一底形成板（５）と第二底形成板（２０）、第三底形成板（３０）、第四底形成板（４０）で第一底形成板（５）を保護し、第一底形成板（５）の差込穴（５５Ａ）に第三底形成板（３０）の下部先端に形成した差込部（３４）を係合させた自動組立底構造の折畳み可能な第四底形成板（４０）、接続フラップ（３２）、第二底形成板（２０）、接続フラップ（２２）からなり、瓶容器支持体（Ｃ）による緩衝機能を有する構成を本考案が解決しようとする課題とする。
【考案の効果】
【０００７】
本考案の請求項１に係る緩衝機能を有する包装用紙箱は、
包装用紙箱（Ｈ）の底部中央から起立した起立支持板（５５）と折線（Ｖ１）で連続する第二底支持板（５６）及び、該第二底支持板（５６）と瓶支持用中底形成板（５３）が重着された構成を備えることによって、箱体内に収納された薬瓶等の収納対象物（Ｓ）は下方から衝撃が加わった場合でも、収納対象物（Ｓ）は直接の衝撃を受けることがなく、瓶容器支持体自体（Ｂ）は強度を保持し、衝撃を吸収緩和できる。
箱主体（Ａ）の瓶容器支持体（Ｂ）は、瓶支持板（５１）には、円周の一部を直線状に形成した瓶支持穴（５４Ａ）の周囲淵で瓶の横揺れを規制する瓶支持板（５１）と、第二底支持板（５６）上に瓶支持用中底形成板（５３）が載置され、側面支持板（５２）は第一側板（１）に接着されていることによって、前記瓶支持用中底形成板（５３）は瓶支持板（５１）と間に間隙（Ｋ）を形成し、瓶容器支持体は箱体内で略平行状態を保ち共動する。
第二底支持板（５６）と第三底形成板（３０）との間に凹部（Ｍ）を形成し、箱主体（Ａ）の底内面との間に緩衝用間隙（Ｋ１）を形成し、第三底形成板（３０）の先端に設けた支持止部（３４）と起立支持板（５５）を重合させて、箱主体（Ａ）の瓶支持板（５１）は瓶支持用中底形成板（５３）に支持された瓶容器支持体（Ｂ）で箱底からの衝撃を吸収して箱体内の収納対象物（Ｓ）を破損から保護するようになる。
また箱主体が折畳み可能な自動組立底を形成する構成として、箱体に組み立てた状態において主フラップ（３１）を折返してその自由端部を第三側板（３）の内面に接着して二重構成とし係止端部（３１Ａ）、（３１Ａ）に、側面当接板（５０）の緩衝用支持片（５１Ａ）、（５１Ａ）を接当させて、瓶支持板（５１）を固定させて、側面当接板（５０）の張出縁（５０Ａ）、（５０Ａ）によって包装対象物（Ｓ）の側面を囲繞支持した配置により、振動等による包装対象物（Ｓ）の側方へのぶれを抑えることができ、正面、背面、左右側板からの衝撃を防止し、上部フラップ（２１）、（４１）を箱体の開口部側に水平に折り曲げ、前記上部フラップの上に天板（６）の差込フラップ（６０）を第三側板に折り曲げた主フラップ（３１）の内側に差し込み閉塞し、上部からの衝撃を防止し、収納対象物（Ｓ）の緩衝効果を発揮することもできる。
【０００８】
本考案の請求項２に係る緩衝機能を有する包装用紙箱の第二の構成は、箱主体（Ａ）と該箱主体に内蔵保持及び貼着される瓶容器支持体（Ｃ）とからなり、箱主体（Ａ）は夫々折線を介して連続形成される側板と、前記いずれかの側板の上端から折線を介して形成される天板とフラップと左右に上部フラップを備え、前記第一側板の下端から折線を介して形成される瓶容器支持体（Ｃ）と連続しない各側板の夫々の下端から折線を介して第二底形成板、先端中央に差込部を設けた第三底形成板、第四底形成板を備え、第二底形成板には自動組立底を形成する接続フラップを第三底形成板には接続して自動組立底を形成する接続フラップを、夫々折線を介して設けてなる。
瓶容器支持体（Ｃ）は第一側板（１）の下端に折線（Ｆ５）を介して第一底形成板（５）、折線（Ｆ５０）を介して側面当接板（５０）を形成し、該側面当接板（５０）の下部両端に張出縁（５０Ａ）を形成し、折線（Ｆ５１）を介し上部両側に緩衝用支持片（５１Ａ）を有する瓶支持板（５１）を形成し、折線（Ｆ５２）を介し側面当接板（５２）を、折線（Ｆ５３）を介し瓶支持用中底形成板（５３）を形成し、折線（Ｆ５４）を介して側面当接板（５４）が連続に形成した構成で、箱体内に円周の一部を直線状に形成した多数の瓶支持穴（５４Ａ）を所定間隔で穿設した瓶支持板（５１）と前記瓶支持板（５１）と同数の瓶支持穴（５４Ｂ）を穿設した接着剤（７ｂ）を塗布し瓶支持用中底形成板（５３）を上下二段の棚状に形成し、第一底形成板の差込穴に第三底形成板の下部先端に形成した差込部（３４Ａ）を係合させた自動組立底を形成する構造の折畳可能な瓶容器支持体（Ｃ）による緩衝機能による箱主体と該箱主体に内蔵保持又は貼着される瓶容器支持体（Ｃ）により外部からの衝撃を保持する。
更に、瓶支持板（５１）の折線（Ｆ５１）上の緩衝用支持片（５１Ａ）、（５１Ａ）を第三側板（３）の上部に形成したフラップ（３１）の係止端部（３１Ａ）、（３１Ａ）と接当係止させて、箱体内の瓶支持板（５１）と瓶支持用中底形成板（５３）に正面、背面、左右側面からの衝撃に対し緩衝機能を有することにより、瓶容器支持体は高い強度を保持して衝撃を吸収緩和できる。
円周の一部を直線状に形成した瓶支持穴（５４Ａ）を有する瓶支持板（５１）と瓶支持穴（５４Ｂ）を有する瓶支持板（５３）の双方で、収納対象物（Ｓ）を固定し、且つ側板当接板（５４）に接着剤（７ａ）を塗布して側面当接板（５０）に貼着し、側面当接板（５２）に接着剤（７ｂ）を塗布し、第一側板（１）の下方内側に貼着し、瓶支持用中底形成板（５３）と瓶支持板（５１）を支持され、且つ該瓶支持板（５１）は瓶支持用中底形成板（５３）と側面当接板で補強された構成を備えることとなり、瓶容器支持体（Ｃ）は高い強度を保持して衝撃を吸収緩和できるとともに、第一底形成板（５）の差込穴（５５Ａ）に第三底形成板（３０）の差込部（３４Ａ）を差し込み係止し、自動組立底を形成する接続フラップを接着固定したことより、この箱底からの直接の衝撃を緩和することができ、収納対象物（Ｓ）が載置された瓶支持用中底形成板（５３）への負荷を逃す緩衝機能により、収納対象物の破損等を大幅に抑制できる。
更に、瓶支持板（５１）における緩衝用支持片（５１Ａ）、（５１Ａ）及び側面当接板（５０）の張出縁（５０Ａ）、（５０Ａ）によって包装対象物（Ｓ）の側面を囲繞支持した配置により、振動等による包装対象物（Ｓ）の側方へのぶれを抑えることができ、外部からの正面、背面、左右側板からの衝撃を総合的に吸収緩和し、安全確実に収納対象物（Ｓ）を保持できる。
【図面の簡単な説明】
【０００９】
【図１】本考案の実施例１に係る緩衝機能を有する包装用箱を構成する展開裏面図である。
【図２】本考案の実施例１に係る緩衝機能を有する包装用箱を構成する瓶容器支持体の図１より折線Ｆ５３を谷折して瓶支持用中底形成板を折り畳んだ状態を示す展開裏面図である。
【図３】本考案の実施例１に係る緩衝機能を有する包装用箱を構成する瓶容器支持体の図２より折線Ｆ５１を谷折して折り畳んだ状態を示す展開裏面図である。
【図４】本考案の実施例１に係る緩衝機能を有する包装用箱を構成する瓶容器支持体の図３より折線Ｆ５を谷折して折り畳んだ状態を示す展開裏面図である。
【図５】本考案の実施例１に係る緩衝機能を有する包装用箱を構成する瓶容器支持体の図４より折線Ｆ３１、Ｆ４０を谷折して折り畳んだ状態を示す展開裏面図である。
【図６】本考案の実施例１に係る緩衝機能を有する包装用箱を構成する瓶容器支持体の図５より折線Ｆ２０、Ｆ３０を谷折し、折線Ｖ２、Ｖ３を山折した状態を示す展開裏面図である。
【図７】本考案の実施例１に係る緩衝機能を有する包装用箱を構成する瓶容器支持体の図６より折線Ｆ１を谷折して、連結片１０の表面側に接着剤を塗布して、接続フラップ２２、３２の裏面側に接着剤を塗布して折り畳んだ状態を示す展開裏面図である。
【図８】本考案の実施例１に係る緩衝機能を有する包装用紙箱を構成する瓶容器支持体の図７より左右側壁を引き起こして包装用箱に組み立てた正面図である。
【図９】本考案の実施例１に係る緩衝機能を有する包装用紙箱の裏面側に形成される凹部Ｍに支持止部３４と起立支持板５５を接合した状態を説明する拡大斜視図である。
【図１０】（ａ）は本考案の実施例１に係る緩衝機能を有する包装用紙箱の天板を開けた状態の平面図で、図１０（ｂ）は図１０（ａ）のＸ−Ｘ線における拡大断面図である。
【図１１】本考案の実施例２に係る緩衝機能を有する包装用紙箱を構成する展開裏面図である。
【図１２】本考案の実施例２に係る緩衝機能を有する包装用紙箱を構成する瓶容器支持体の図１１より折線Ｆ５３を谷折して瓶支持用中底形成板５３を折り畳んだ状態を示す展開裏面図である。
【図１３】本考案の実施例２に係る緩衝機能を有する包装用紙箱を構成する瓶容器支持体Ｃより折線Ｆ５を谷折して、連結フラップ１０の表面側に接着剤を塗布して、接続フラップ２２、３２の裏面側に接着剤を塗布して各折目を谷折りして扁平に折畳んだ状態を示す正面図である。
【図１４】本考案の実施例２に係る緩衝機能を有する包装用箱を構成する瓶容器支持体の図１３より左右側壁を引き起こして包装用紙箱に組み立てた正面図である。
【図１５】本考案の実施例２に係る緩衝機能を有する包装用紙箱の裏面側における差込穴に差込部を係合して、第四底形成板４０接続フラップ３２を貼着する状態を説明する拡大斜視図である。
【図１６】（ａ）は本考案の実施例２に係る緩衝機能を有する包装用紙箱の天板を開けた状態の平面図、図１６（ｂ）は図１６（ａ）のＹ−Ｙ線における拡大断面図である。
【考案を実施するための形態】
【００１０】
以下、この考案の実施の形態について図面に基づいて説明する。
図１乃至図１０に示すごとく、本考案の第一実施形態の構成は、箱主体Ａと該箱主体に内蔵保持及び貼着される瓶容器支持体Ｂとからなる緩衝機能を有する包装用紙箱に関する。
箱主体Ａは、図１に示すごとく第一側板１、第二側板２、第三側板３、第四側板４が順に折線Ｆ１、折線Ｆ２、折線Ｆ３を介して横に連続し、
第一側板１の上端には折線Ｆ６を介して天板６が連続し、該天板６の上端には折線Ｆ６０を介して差込フラップ６０が連続する。
前記第一側板１の下端には、折線Ｆ５を介して瓶容器支持体Ｂが連続する。
第一側板１の他方の側端には折線Ｆ１０を介して連結フラップ１０が連続する。
第二側板２の上端には折線Ｆ２１を介して上部フラップ２１が連続し、前記第二側板２の下端には折線Ｆ２０を介して、第二底形成板２０が連続し、前記第二底形成形板２０の右端に折線Ｖ２を介して接続フラップ２２が連続する。
第三側板３の上端には折線Ｆ３１と開封用ミシン目３５を介して両側に係止端部３１Ａを有する台形状の主フラップ３１が連続し、前記第三側板３の上部に開封用ミシン目３３を設け、下端には折線Ｆ３０を介して先端に折線Ｆ３４を介して支持止部３４を有する第三底形成板３０が連続し、前記第三底形成板３０の左端には折線Ｖ３介して接続フラップ３２が連続する。
第四側板４の上端には折線Ｆ４１を介して上部フラップ４１が連続し、前記第四側板４の下端には折線Ｆ４０を介して第四底形成板４０が連続する。
前記第一側板１の下端に折線Ｆ５を介して瓶容器支持体Ｂが連続する。
瓶容器支持体Ｂは、第一底形成板５と、起立支持板５５と、第二底支持板５６と、側面当接板５０と、瓶支持板５１と、側面当接板５２と、瓶支持用中底形成板５３が各折線を介して長さ方向に連続し、更に前記第一底形成板５の折線Ｆ５０Ａから起立支持板５５折線Ｖ１を介して第二底支持板５６の折線Ｆ５０Ｂに掛けて第二底支持板５６を形成し、該第二底支持板５６の両側には縦切込線５７と該縦切込線の両側に折線Ｆ５０を形成し、折線Ｆ５０Ｂを介して側面当接板５０に連設し、前記第二底支持板５６と第一底形成板５は折線Ｖ１を相互の境界線とする起立支持板５５の折線Ｖ１を山折して、前記第二底支持板５６の折線Ｆ５０を折線Ｆ５０Ｂを谷折して第一底形成板５から第二底支持板５６が起立させる。
側板当接板５０と折線Ｆ５１を介して連続する瓶支持板５１には円周の一部を直線状に形成した多数の瓶支持穴５４Ａを所定間隔で穿設し、折線Ｆ５２を介して連続する側面当接板５２、折線Ｆ５を介して連続する瓶支持用中底形成板５３を形成し、起立支持板５５の折線Ｆ５０Ａと第一底形成板５の両折線Ｆ５０とを介して連続する第二底支持板５６で支持して箱体内で二段棚状に折畳み形成し、
箱体裏面側において図９に示すごとく、第一底形成板５の裏面側において、
第二底支持板５６の折線Ｖ１により起立させた起立支持板５５と、第三底形成板３０の下端に折線Ｆ３４を介して形成した支持止部３４が、第一底形成板５の底面側に形成された凹部Ｍにはまり込んだ状態で起立支持板５５と接当支持させて前記側面当接板５２を第一側面板１の下部内側に貼着し、主フラップ３１の折線Ｆ３１を谷折して前記第三側板３の上部内側に貼着し、前記主フラップ３１の係止端部３１Ａ、３１Ａと、前記折線Ｆ５１の緩衝用支持片５１Ａ、５１Ａと接当係止させて、自動組立底を有する構造の折畳み可能な第四底形成板４０、接続フラップ３２、第二底形成板２０、接続フラップ２２を有する構成である。
【００１１】
図１１乃至図１６に示すごとく、本考案の第二実施形態の構成は、箱主体Ａと該箱主体に内蔵保持及び貼着される瓶容器支持体Ｃとからなる緩衝機能を有する包装用紙箱に関するもので、第二実施形態の構成は瓶容器支持体Ｂに代えて瓶容器支持体Ｃとした緩衝機能を有する包装用紙箱から構成される。
第二実施形態の箱主体Ａは、図１１に示すごとく第一側板１、第二側板２、第三側板３、第四側板４が順に折線Ｆ１、折線Ｆ２、折線Ｆ３を介して横に連続し、
第一側板１の上端には折線Ｆ６を介して天板６が連続し、天板６上端には折線Ｆ６０を介して差込フラップ６０が連続する。
第一側板１の他方の側端には折線Ｆ１０をして連結フラップ１０が連続する。
第二側板２の上端には折線Ｆ２１を介して上部フラップ２１が連続し、前記第二側板２の下端には折線Ｆ２０を介して、第二底形成板２０が連続し、前記第二底形成形板２０の右端に折線Ｖ２を介して接続フラップ２２が連続する。
第三側板３の上端には折線Ｆ３１を介して両側に係止端部３１Ａを、前記第三側板３の上部に開封用ミシン目３３を有し、折線Ｆ３１を介して前記の開封用のミシン目３３と連続する開封用ミシン目３５を有する台形状の主フラップ３１を設け、該主フラップ３１の上部両側に係止端部３１Ａ、３１Ａを形成し、
第三側板３の下端には折線Ｆ３０を介して第三底形成板３０が連続し、前記第三底形成板３０の先端に差込部３４Ａが連続し、前記第三底形成板３０の左端には折線Ｖ３を介して接続フラップ３２が連続する。
第四側板４の上端には折線Ｆ４１を介して上部フラップ４１が連続し、前記第四側板４の下端には折線Ｆ４０を介して第四底形板４０が連続する。
前記瓶容器支持体Ｃは、第一側板１の折線Ｆ５を介して中央に差込穴５５Ａを有する第一底形成板５を形成し、折線Ｆ５０を介して側面当接板５０を形成し、折線Ｆ５１を介して円周の一部を直線状に形成した複数の瓶支持穴５４Ａを有する瓶支持板５１を形成し、
折線Ｆ５２を介して側面当接板５２、折線Ｆ５３を介して側面当接板５２を、折線Ｆ５３を介し瓶支持用中底支持板５３を、折線Ｆ５３を介して側面当接板５４を形成し、折線Ｆ５４を谷折して側面当接板５４の表面側に接着剤７ａ、７ａを塗布し、側面当接板５０の裏面側に貼着し、側面当接板５２の表面側に接着剤７ｂ、７ｂを塗布し、第一側面板１の裏面側に貼着し、
前記側面当接板５０を前記第三側板３の上部内側に接着剤７ｅを塗布して折線Ｆ３１を谷折して主フラップ３１の台形部分と接当させ、前記折線Ｆ５１の両端に設けた緩衝用支持片５１Ａ、５１Ａが前記主フラップ３１の台形状の両側に形成した係止端部３１Ａ、３１Ａの端面と接当係止し、第一底形成板１の差込穴５５Ａに第三底形成板５５Ａの下部先端に形成した差込部３４Ａと係合させた自動組立底を形成する構造の折畳み可能な第四底形成板４０、接続フラップ３２、第二底形成板２０、接続フラップ２２を有する緩衝機能を有する構成である。
【実施例１】
【００１２】
本考案の実施例１に係る緩衝機能を有する包装用紙箱Ｈは、該箱主体Ａと箱主体に内蔵保持及び貼着される瓶容器支持体Ｂを形成した緩衝機能を有する包装用紙箱Hから構成される。
先ず本考案の実施例１の箱主体Ａの構成について説明する。
図１の展開裏面図を示すように、第一側板１、第二側板２、上部に開封用ミシン目３３を有する第三側板３、第四側板４が順に折線Ｆ１、折線Ｆ２、折線Ｆ３を介して連続し第一側板１の上端には折線Ｆ６を介して天板６が連続し、天板６の上端には折線Ｆ６０を介して差込フラップ６０が連続し、前記第一側板１の下端には、折線Ｆ５を介して瓶容器支持体Ｂが連続する。
第二側板２の上端には折線Ｆ２１を介して上部フラップ２１が連続し、前記第二側板２の下端には折線Ｆ２０を介して、第二底形成板２０が連続する。
前記第三側板３の開封用のミシン目３３と連続する開封用ミシン目３５を有する第三側板３の上端に折線Ｆ３１を介して両側に係止部３１Ａを形成した台形状主フラップ３１が連続し、
前記第三側板３の下端には折線Ｆ３０を介して第三底形成板３０が連続し、前記第三底形成板３０の先端に折線Ｆ３４を介して差込部３４が連続し、前記第三底形成板３０の左端には折線Ｖ３を介して接続フラップ３２が連続する。
第四側板４の上端には折線Ｆ４１を介して上部フラップ４１が連続し、前記第四側板４の下端には折線Ｆ４０を介して第四底形成板４０が連続する。
第一側板１の他方の側端には折線Ｆ１０を介して連結フラップ１０が連続する。
【００１３】
前記瓶容器支持体Ｂは、図１に示すごとく、第一底形成板５と、起立支持板５５と、第二底支持板５６と、側面当接板５０と、瓶支持板５１と、側面当接板５２、瓶支持用中底形成板５３が各折線を介して長さ方向に連続し、
更に前記第一底形成板５の折線Ｆ５０Ａを介して起立支持板５５を形成し、折線Ｖ１を介して第二底支持板５６を形成し、該第二底支持板５６の両側には縦切込線５７と該縦切込線５７の両外側に折線Ｆ５０を形成し、折線Ｆ５０Ｂを介して側面当接板５０に連設し、
側板当接板５０と折線Ｆ５１を介して連続する瓶支持板５１には円周の一部を直線状に形成した多数の瓶支持穴５４Ａを所定間隔で穿設し、折線Ｆ５２を介して連続する側面当接板５２、折線Ｆ５３を介して瓶支持用中底形成板５３を形成し、起立支持板５５の折線Ｆ５０Ａと第一底形成板５の両折線Ｆ５０とを介して連続する。前記第二底支持板５６と第一底形成板５は折線Ｖ１を相互の境界線とする起立支持板５５の折線Ｖ１を山折して、前記第二底支持板５６の折線Ｆ５０と折線Ｆ５０Ｂを谷折して第二底支持板５６の裏面側に接着剤を塗布し、瓶支持用中底形成板５３の表面側と貼着し、側面当接板５２の表面側に接着剤を塗布し、第一側面板１の下部内側に貼着し、第一底形成板５から起立支持板５５を起立させて箱体内で二段棚状に形成する。
【００１４】
箱体裏面側において図９に示すごとく、第一底形成板５の裏面側凹部Ｍにおいて、第二底支持板５６を起立させた起立支持板５５の表面側と、第三底形成板３０の支持止部３４の表面側が当接して、第一底形成板５の裏面に形成された凹部Ｍにはまり込んだ状態で起立支持板５５と支持止部３４と当接して固定させる。
前記主フラップ３１の折線Ｆ３１を谷折して前記第三側板３の上部内側に貼着し、箱体の内部において、主フラップ３１の係止端部３１Ａ、３１Ａの端面と、前記折線Ｆ５１上の緩衝用支持片５１Ａ、５１Ａと接当係止させる。
折畳み可能な自動組立底を形成する構成として、箱体に組み立てた状態において主フラップ３１を折返してその自由端部を第三側板３の内面に接着して二重構成とし係止端部３１Ａ、３１Ａに、側面当接板５０の緩衝用支持片５１Ａを接当させて、瓶支持板５１を固定させて、さらに側面当接板５０の張出縁５０Ａ、５０Ａによって包装対象物Ｓの側面を囲繞支持した配置により、振動等による包装対象物Ｓの側方へのぶれを抑えることができ、正面、背面、左右側板からの衝撃を防止し、上部フラップ２１、４１を箱体の開口部側に水平に折り曲げ、前記上部フラップの上に天板６の差込フラップ６０を第三側板に折り曲げた主フラップ３１の内側に差し込み閉塞し、上部からの衝撃を防止する。
【００１５】
瓶容器支持体Ｂにおける折線Ｆ５から折線Ｆ５０までの寸法（第一底形成板５の上下の長さ寸法ｈ８）は、折線Ｆ６からさらに両側に折線Ｆ６０までの寸法（即ち、天板６の上下の長さ寸法ｈ９）と略同寸法とし、また、折線Ｆ５０Ｂから折線Ｆ５１までの寸法（即ち、側面当接板５０の上下高さ寸法ｈ１）、折線Ｆ５２から折線Ｆ５３までの高さ寸法（側面当接板５２の上下の高さ寸法ｈ２）、瓶支持板５１の上下の高さ寸法ｈ３と瓶支持用中底形成板５３の高さ寸法ｈ４はと略同寸法に形成されている。
【００１６】
前記瓶支持板５１は、包装対象物Ｓとなる薬瓶等の側面を円周の一部を直線状に形成した瓶支持穴５４Ａで囲繞保持し、薬瓶等の底面は、第一底形成１の下部内側と側面当接板５２と接着されており、第二底支持板５６と瓶支持用中底形成板５３と接着されており、折線Ｆ５０を谷折りして側面当接板５０を立ち上げると起立支持板５４の折線Ｖ１を山折し、第一中底支持板５の裏面側に凹部Ｍが形成され、瓶支持用中底形成板５３と瓶支持板５１に薬瓶等を収納する間隙Ｋが形成される。
第三側板３に形成した係止端部３１Ａ、３１Ａは、瓶支持板５１の緩衝用支持片５１Ａ、５１Ａと接当固定して箱内で瓶支持板５１を支持し、起立支持板５５と第三底形成板３０の折線Ｆ３４を山折りして支持止部３４と接当して第二底支持板５６を支持して、瓶容器支持体を箱体内で支持している。
尚、包装対象物Ｓは円周の一部を直線状に形成した瓶支持穴５４Ａを有する瓶支持板５１には前後２列に５箇所、合計１０個形成している。
尚、瓶支持穴５４Ａの形状はこれに限定されるものでなく、瓶支持穴の鍔内側周囲に瓶胴部外周面が接する一個以上の舌片を形成したものであればその形状は問わない。
【００１７】
第二底形成板２０は略二等辺三角形状若しくは台形状に形成されており、その一方の斜辺から折線Ｖ２を介して接続フラップ２２が延設される。
第三底形成板３０は略台形状に形成されており、その一方の斜辺から折線Ｖ３を介して接続フラップ３２が延設される。
また、第三底形成板３０の下端中央に前記第一底形成板５の折線Ｆ５０Ａ、折線Ｖ１を介して第二底支持板５６、切込線５７の構成により、折線Ｆ５０Ａと折線Ｆ５０の谷折り、折線Ｖ１の山折りにより起立支持板５５が第一底形成板５から持ち上げられて第一底形成板５の裏面側に凹部Ｍを形成し、瓶支持板５１と瓶支持用中底形成板５３を箱体内で二段棚状に形成し、該凹部内の起立支持板５５と前記第二底形成板３０の先端に形成した支持止部３４と接当保持する。
【００１８】
次に本実施例１に係る組立構造について説明する。
先ず、図１は箱主体と瓶容器支持体の展開裏面図に開示される瓶容器支持体Ｂは、折線Ｆ５３を谷折して瓶支持用中底形成板５３の上部表面に接着剤７ａ、７ａを塗布し、折線Ｆ５１を谷折りして瓶支持用中底形成板５３の上部表面と中底支持板５６の裏面とが接着される。
次に側面接当板５２の表側に接着剤７ｂ、７ｂを塗布し（図２参照）、
次に折線Ｆ５を谷折りして、側面接当板５２の表側と第一側板１の下部の裏面と接着する（図３参照）。
図４の状態から台形状の主フラップ３１の上部裏面側に接着剤７ｆを塗布して折線Ｆ３１を谷折りし、第二底形成板２０の折線Ｆ２０、第三底形成板３０の折線Ｆ３０、第四底形成板４０の折線Ｆ４０をそれぞれ谷折し、さらに第二底形成板２０の接続フラップ２２の折線Ｖ２、第三底形成板３０の接続フラップ３２の折線Ｖ３をそれぞれ山折して、支持止片３４の折線Ｆ３４を谷折して、接続フラップ２２の裏面側に接着剤７ｃ及び接続フラップ３２の裏面側に接着剤７ｄを塗布する（図６参照）。
次に、第四底形成板４０を谷折し、折線Ｆ２を谷折し、連結片１０の表面に接着剤７ｅを塗布して、第四側板４の裏面端に連結片１０の表面と接着して包装用は箱体が扁平状に折り畳まれる（図７参照）。
【００１９】
この扁平状に折畳まれた状態から箱体の四隅の側面を内側に押さえることによりに箱体に組み立てると同時に瓶容器支持体Ｂが箱体内に立ち上げられる。（図８参照）。
天板を開けた状態の図１０（ａ）箱体平面図に示すごとく、箱体内に瓶支持板５１と瓶支持用中底形成板５３が第二底支持板５６の支持止部３４と起立支持板５５に箱底が支持された二段棚状の緩衝機能を有する構成が形成される（図１０（ｂ）参照）。
【００２０】
ここで、瓶容器支持体Ｂは、箱主体の裏面側において、起立支持板５５に支持されている第二底支持板５６を下方へ押下げることにより行う。第二底支持板５６上に瓶支持用中底形成板５３が載置され、側面支持板５２は第一側板１に接着されていることによって、前記瓶支持用中底形成板５３は瓶支持板５１と間に間隙Ｋを形成し、瓶支持用中底形成板５３と第一中底形成板５の間に間隙Ｋ１を形成し、瓶容器支持体は箱体内で略平行状態を保ち共動する。
【００２１】
また、起立支持板５５の高さｈ６だけ第一側板１の底面から上げて側面当接板５２に接着されているから瓶支持用中底形成板５３は間隙Ｋ１を設けて第一側板１に取り付けられている。
前記したように、折線Ｆ５１と折線Ｆ５０Ｂの高さ寸法ｈ１は、側面当接板５２の上下高さ寸法ｈ２と略同寸法とし、瓶支持板５１の長さ寸法ｈ３は、瓶支持用中底形成板５３の長さ寸法ｈ４と略同寸法である。
【００２２】
更に、前記瓶支持用中底形成板５３は第二底支持板５６と接着剤７ａによって接着されていること、及び第三底形成板３０の支持止部３４の折線Ｆ３４から支持止部３４の先端までの高さ寸法ｈ７が前記起立支持板５５の高さ寸法ｈ６と略同寸法であることにより、第一底形成板５の長さ寸法ｈ８は瓶支持板５１の長さ寸法ｈ３と瓶支持用中底形成板５３の長さ寸法ｈ４と同寸法であり、側面当接板５０と略平行状態を保ち共動する。
【００２３】
そして、両側に縦切込線５７を有する第二底支持板５６が起立支持板５５と第二底支持板５６が折線Ｖ１を山折して起立支持板５５を立ち上げると箱体内に組み立てると瓶容器支持体Ｂと、側面当接板５０の折線Ｆ５１上の緩衝用支持部５１Ａがフラップ３１の係止端部３１Ａと接当係合して箱体左右両側からの衝撃を緩衝する機能を有する。
【００２４】
第三底形成板３０の先端に形成した支持止部３４と、第二底支持板５６の起立支持板５５と重合当接させ、箱体底部の凹部Ｍ内に嵌り込んだ状態とする（図９参照）。
接続フラップ２２の裏面を第一底形成板５の表面に接着し、接続フラップ３２の裏面を第四底形成板４０の表面に接着する。
【００２５】
第三底形成板３０の先端に形成した支持止部３４と、第二中支持部５６の折線Ｖ１と連続する起立支持板５５と重合当接させ、第二底支持板５６の凹部Ｍ内に支持止部３４が嵌り込んだ状態とする。
凹部Ｍ内に支持止部３４が嵌り込んだ状態とすることにより、上記瓶支持用中底形成板５３は、第二底支持板５６と起立支持板５５に接当固定され、瓶支持用中底形成板５３が補強された状態が保持される。
【００２６】
また、第一底形成板５は上記瓶支持用中底形成板５３及び瓶支持板５１と略平行状態を保ち共動する構成とし、且つ、側面当接板５２と第一側板１とが接着され、瓶支持用中底形成板５３と第二底支持板５６が接着されることによって、起立支持板５５及び凹部Ｍを構成する第二底支持板５６は、支持板５１、瓶支持用中底形成板５３、第一底形成板５を鉛直状態に保持される。
【００２７】
以上に示した凹部Ｍの形成及び底部の形成を経て、接着剤７ｅを塗布した連結片１０を第四側板４の裏面に重ね、接着することで扁平な折畳み状態の箱体が形成され、この箱体の四隅を内側に押さえて箱体に形成して上方が開口した状態の緩衝機能を有する包装用紙箱Ｈが完成する。
【００２８】
当該構成により、箱体内に収納された薬瓶等の下方から衝撃が加わった場合には、包装用紙箱Ｈの底部中央から起立した起立支持板５５と折線Ｖ１で山折されて連続する第二底支持板５６の構成、第三底形成板３０の先端に形成した支持止部３０及び前記第二底支持板５６と瓶支持用中底形成板５３が重着された構成を備えることによって、収納対象物Ｓは、瓶支持用中底形成板５３上に載置されるため、箱底からの直接の衝撃を受けることがなく、瓶容器支持体自体が高い強度を保持して箱底から衝撃を吸収緩和できる。
【００２９】
そして、上記の場合において、円周の一部を直線状に形成した瓶支持穴５４Ａを有する瓶支持板５１に設けて、瓶支持穴５４Ａの穴の周囲に一部を直線状に形成した周囲淵で瓶の横揺れを規制して、更に衝用支持片５１Ａ、５１Ａ及び側面当接板５０の張出縁５０Ａ、５０Ａによって包装対象物Ｓの側面を囲繞支持した配置により、振動等による包装対象物Ｓの側方へのぶれを抑えることができるため、外部からの上下前後左右への衝撃を総合的に吸収緩和し、安全確実に包装対象物６を保持できる。
【００３０】
包装用紙箱Ｈによれば、箱主体Ａと該箱主体に内蔵保持及び貼着される瓶容器支持体Ｂとからなる包装用紙箱Ｈにおいて、前記瓶容器支持体Ｂは、円周の一部を直線状に形成した瓶支持穴５４Ａを設けた瓶支持板５１と第二底支持板５６上に瓶支持用中底形成板５３が載置され、側面支持板５２は第一側板１に接着されていることによって、前記瓶支持用中底形成板５３は瓶支持板５１と間に間隙Ｋを形成し、瓶容器支持体は箱体内で略平行状態を保ち共動する。
また、瓶支持用中底形成板５３の折線Ｆ５２を基準として起立支持板５５の高さｈ６だけ第一側板１の底面から上げて側面当接板５２に接着されているから瓶支持用中底形成板５３は間隙Ｋを設けて第一側板１に取り付けられている。
前記のように、側面当接板５０の高さ寸法ｈ１は、側面当接板５２の高さ寸法ｈ２と略同寸法し、瓶支持板５１の長さ寸法ｈ３は、瓶支持用中底形成板５３の長さ寸法ｈ４と略同寸法である。
【００３１】
瓶支持用中底形成板５３及び瓶支持穴５４Ａを設けた瓶支持板５１を棚形に形成し、第二中底支持板５６を折線Ｖ１で折り曲げた起立支持板５５を鉛直に起立させた高さｈ６上に中底形成板５３を載置して、第一側板１の底面から起立支持板５５の高さｈ６だけ上げた位置に、側板当接板５２を接着して、第一底形成板５と瓶支持用中底形成板５３との間に間隙Ｋを形成し、第二底支持板５６と第三底形成板３０との間に凹部Ｍを形成し、箱主体Ａの底内面との間に緩衝用間隙Ｋ１と凹部Ｍが形成され、箱主体Ａの瓶支持板５１は瓶支持用中底形成板５３に支持された瓶容器支持体Ｂで箱底からの衝突力を吸収して瓶容器を破損から保護するようになる。
【００３２】
また箱主体の開口部を、折畳み可能に構成が確保されることを条件として、主フラップ３１を折返してその自由端部を第三側板３の内面に接着し緩衝空間を形成する二重構成とし、上部フラップ２１、４１を箱体側に水平に折り曲げ、天板６で閉塞するようにして、上部からの衝撃を防止して緩衝効果を発揮することもできる。
【実施例２】
【００３３】
本考案は箱主体Ａと該箱主体に内蔵保持及び貼着される瓶容器支持体Ｃを形成した緩衝機能を有する包装用紙箱から構成される。
先ず本実施例２の箱主体Ａの構成について説明する。
図１１の展開裏面図を示すように、第一側板１、第二側板２、第三側板３、第四側板４が順に折線Ｆ１、折線Ｆ２、折線Ｆ３を介して連続し、前記第三側板３の上端に折線Ｆ３１介して両側に係止端部３１Ａ、３１Ａを形成した台形状の主フラップ３１を形成する。
第一側板１の上端には折線Ｆ６を介して天板６が連続し、天板６の上端には折線Ｆ６０を介して差込フラップ６０が連続する。
前記第一側板１の下端に折線Ｆ５を介して瓶容器支持体Ｃが連続する。
第一側板１の他方の側端には折線Ｆ１０を介して連結フラップ１０が連続する。
第一側板１の上端には折線Ｆ６を介して天板６が連続し、天板６の上端には折線Ｆ６０を介して差込フラップ６０が連続し、前記第一側板１の下端には、折線Ｆ５を介して瓶容器支持体Ｂが連続する。
第二側板２の上端には折線Ｆ２１を介して上部フラップ２１が連続し、前記第二側板２の下端には折線Ｆ２０を介して、第二底形成２０が連続する。
第三側板３の開封用のミシン目３３と連続する開封用ミシン目３５を有する第三側板３の上端に折線Ｆ３１を介して両側に係止端部３１Ａ、３１Ａを形成した台形状の主フラップ３１を形成する。
前記第三側板３の下端には折線Ｆ３０を介して第三底形成板３０が連続する。
第四側板４の上端には折線Ｆ４１を介して上部フラップ４１が連続し、前記第四側板４の下端には折線Ｆ４０を介して第四底形成板４０が連続する。
【００３４】
前記瓶容器支持体Ｃは、図１１に示すように第一側板１の下端に折線Ｆ５を介して中央に差込穴５５Ａを有する第一底形成板５、折線Ｆ５０を介して側面当接板５０を形成し、該側面当接板５０の両端に張出縁５０Ａを形成し、折線Ｆ５１を介して上縁両側に緩衝用支持部５１Ａを形成し、円周の一部に直線状を形成した瓶支持穴５４Ａを有する瓶支持板５１を形成し、折線Ｆ５２を介し側面当接板５２を、折線Ｆ５３を介し瓶支持用中底形成板５３を形成し、折線Ｆ５４を介して側面当接板５４が連続に形成した構成である。
【００３５】
瓶支持板５１の折線Ｆ５２から折線Ｆ５３までの高さ寸法ｈ１は、（即ち、側面当接板５２の高さ寸法ｈ２と略同一）と折線Ｆ５４を介して形成した側面当接板５４の高さ寸法ｈ３に形成する。
【００３６】
また、折線Ｆ５１から折線Ｆ５２までの長さ寸法（即ち、瓶支持板５１の長さ寸法ｈ４）は、瓶支持用中底形成板５３の長さ寸法ｈ５と略同寸法としている。また、第一底形成板５の長さ寸法ｈ６は、前記瓶支持板５１の長さ寸法ｈ４及び瓶支持用中底形成板５３の長さ寸法ｈ５と略同一寸法としている。
【００３７】
前記瓶支持板５１は、包装対象物Ｓとなる薬瓶等の側面に円周の一部を直線状に形成した瓶支持穴５４Ａと、瓶支持用中底形成板５３の瓶支持穴５４Ｂで瓶の周囲を囲繞保持し、包装対象物Ｓの底面は第一底形成板５と第三底形成板３０と第二底形成板２０、第四底形成板４０で支持し、更に側面当接板５０と側面当接板５４及び緩衝用支持片５１Ａ、５１Ａが主フラップ３１の係止縁部３１Ａ、３１Ａと接当係止し、瓶支持板５１及び瓶支持用中底形成板５３を支持している。
瓶支持板５１には円周の一部を直線状に形成した複数の瓶支持穴５４Ａ、これに対応して瓶中底形成板５３には複数個の瓶支持穴５４Ｂを形成し、本件の場合瓶支持板５１の瓶支持穴５４Ａと瓶支持用中底形成板５３の瓶支持穴５４Ｂは前後二列に間隔をあけて５個ずつが形成されている。
【００３８】
第二底形成板２０は概ね二等辺三角形状に形成されており、その一方の斜辺から折線Ｖ２を介して接続フラップ２２が延設される。
第三底形成板３０は概ね二等辺三角形状に形成されており、その一方の斜辺から折線Ｖ３を介して接続フラップ３２が延設される。
また、第三底形成板３０の下端には前記第一底形成板５の差込穴５５Ａと係合する差込部３４Ａを形成している。
【００３９】
瓶容器支持体Ｃは、第一側板１の折線Ｆ５を介して中央に差込穴５５Ａを有する第一底形成板５を形成し、折線Ｆ５０を介して側面当接板５０を形成し、折線Ｆ５１を介して穴の周囲の一部を直線状に形成した瓶支持穴５４Ａを有する瓶支持板５１を形成し、折線Ｆ５２を介して側面当接板５２、折線Ｆ５３を介して側面当接板５２を、折線Ｆ５３を介し瓶支持用中底支持板５３、折線Ｆ５３を介して側面当接板５４を形成し、側面当接板５４の表面側に接着剤７ａを塗布し、側面当接板５０の裏面側に貼着し、側面当接板５２の表面側に接着剤７ｂを塗布し、第一側面板１の裏面側に貼着する。
前記側面当接板５０を前記第三側板３の上部内側に折曲重着し、主フラップ３１の台形部分の係止端部３１を前記折線Ｆ５１の両端に設けた緩衝用支持片５１Ａ、５１と接当係止し、第一底形成板５の差込穴５５Ａに第三底形成板３０の下部先端に形成した差込部３４Ａを係合させたことを特徴とする緩衝機能を有する包装用紙箱からなる構成とする。
【００４０】
次に本実施例２に係る組立て構造について説明する。
図１１は箱主体Ａと該箱主体に内臓保持及び貼着される瓶容器支持体Ｃの展開裏面図に示すごとく、瓶容器支持体Ｃは、折線Ｆ５３を谷折りし、側面当接板５２と瓶支持板５１上に、瓶支持用中底形成板５３と側面当接板５４と重合させて、側面当接板５４の表面に接着剤７ａ、７ａを塗布し、折線Ｆ５１を谷折りし、側面当接板５０の裏面側に側面当接板５４を貼着し、側面当接板５２の表面側に接着剤７ｂ、７ｂを塗布して、折線Ｆ５を谷折りして側面当接板５２の表面側と第一側板１の下部裏面側に貼着させる。
次に第二側板２の裏面側に折線Ｆ２０を谷折りして折線Ｖ２を山折りして接続フラップ２２の裏面側に接着剤７ｃを塗布し、第三側板３の裏面側に折線Ｆ３１を谷折りして主フラップ３１の裏面側に接着剤７ｆを塗布して第三側板３と主フラップ３１を重合接着し、第三側板３の折線Ｆ３０を谷折りして、第三底形成板３０の折線Ｖ３を山折りして、接続フラップ３２の裏面側に接着剤７ｄを塗布し、第四底形成板４０の折線Ｆ４０を谷折りして、折線Ｆ１を谷折りして前記接続フラップ２２と第一底形成板１の表面側に接着剤７ｅを塗布し、折線Ｆ３を谷折りして第四底形成４０の表側と接続フラップ３２の裏側と貼着する。
前記連結フラップ１０の表側に第四底形成４の他端部の裏面側と貼着させて図７に示す折り畳まれた包装用紙箱体となり、この箱体の四隅を持って内側に押さえて、箱体を立体に組み立てると、図１６（ａ）のごとき状態となる。このように箱体内に瓶支持用中底形成板５３と瓶支持板５１が二段棚状に立ち上がり、瓶支持板５１の折線Ｆ５１上に形成した緩衝用支持片５１Ａ、５１Ａが主フラップ３１の係止端部３１Ａ、３１Ａと接当支持し（図１６（ｂ）参照）各瓶支持穴に薬瓶を挿入することができる。
上部フラップ２１の折線Ｆ２１を谷折りし、上部フラップ４１の折線Ｆ４１を谷折りして、天板６の折線Ｆ６を谷折りして差込フラップ６０の折線Ｆ６０を谷折りして第三側板３の内面側の主フラップ３１に差込み保持される。
箱底側においては前記差込５５Ａに差込部３４Ａが係合保持されている。
【００４１】
箱体を折り畳むには天板を上方に開けて左右の上部フラップを持ち上げて、箱底の接続、フラップ２２、２３の折線Ｖ２、Ｖ３に沿って箱底側から上方に押さえることにより、前記差込部３４Ａが差込穴５５Ａとの係合が開放させて、瓶支持板５１、瓶支持用中底形成板５３、第一底形成板５が扁平に折り畳まれた状態で上方に持ち上げられて組立て前の扁平な箱体の組立て前の状態になる。
【符号の説明】
【００４２】
１              第一側板
１０            連結片
２              第二側板
２０            第二底形成板
２１            上部フラップ
２２            接続フラップ
３              第三側板
３０            第三底形成板
３１            主フラップ
３１Ａ          係止端部
３２            接続フラップ
３３            開封用ミシン目
３４            支持止部
３４Ａ          差込部
３５            開封用ミシン目
４              第四側板
４０            第四底形成板
４１            上部フラップ
５              第一底形成板
５０            側面当接板
５０Ａ          張出縁
５０Ｂ          折線
５１            瓶支持板
５１Ａ          緩衝用支持片
５２            側面当接板
５３            瓶支持用中底形成板
５４            側面当接板
５４Ａ          瓶支持穴
５４Ｂ          瓶支持穴
５５            起立支持板
５５Ａ          差込穴
５６            第二底支持板
５７            縦切込線
６              天板
６０            差込フラップ
７ａ            接着剤
７ｂ            接着剤
７ｃ            接着剤
７ｄ            接着剤
７ｅ            接着剤
７ｆ            接着剤
Ａ              箱主体
Ｂ              瓶容器支持体
Ｃ              瓶容器支持体
Ｆ１〜Ｆ１０    折線
Ｆ２０〜Ｆ２１  折線
Ｆ３０〜Ｆ３４  折線
Ｆ４０〜Ｆ４１  折線
Ｆ５０〜Ｆ５１  折線
Ｆ５１〜Ｆ５４  折線
Ｆ５０Ａ〜Ｆ５０Ｂ  折線
Ｆ６０          折線
ｈ１            高さ寸法
ｈ２            高さ寸法
ｈ３            高さ寸法
ｈ４            長さ寸法
ｈ５            長さ寸法
ｈ６            長さ寸法
ｈ７            高さ寸法
ｈ８            長さ寸法
ｈ９            長さ寸法
Ｈ              包装用紙箱
Ｋ              間隙
Ｋ１            間隙
Ｍ              凹部
Ｓ              収納対象物
Ｖ１            折線
Ｖ２            折線
Ｖ３            折線
【図１】
0003182969.tif 000003
【図２】
0003182969.tif 000004
【図３】
0003182969.tif 000005
【図４】
0003182969.tif 000006
【図５】
0003182969.tif 000007
【図６】
0003182969.tif 000008
【図７】
0003182969.tif 000009
【図８】
0003182969.tif 000010
【図９】
0003182969.tif 000011
【図１０】
0003182969.tif 000012
【図１１】
0003182969.tif 000013
【図１２】
0003182969.tif 000014
【図１３】
0003182969.tif 000015
【図１４】
0003182969.tif 000016
【図１５】
0003182969.tif 000017
【図１６】
0003182969.tif 000018